(57)【要約】【課題】  表示情報が多量で長手方向の寸法が大きい出力シートを用いても薄型化することができるスクロール看板を提供する。【解決手段】  本発明に係るスクロール看板１０は、内部を視認可能とする表示部１６が形成された筐体１１と、表示部１６に対向する表面に表示情報が付される帯状の出力シート１２と、出力シート１２の長手方向端部が取り付けられた巻取装置１３とを備え、この巻取装置１３が、互いに平行な回転軸を有する二つの巻取ローラー１７，１８を備えるとともに、出力シート１２を二つの巻取ローラー１７，１８の周りに巻回して巻き取り、これにより出力シート１２の表示部１６に対向する表面がスクロールし、表示部１６に表示される表示情報が切り替えられる。【選択図】  図１
2010204202.tif 000002
【特許請求の範囲】
【請求項１】
内部を視認可能とする表示部が形成された筐体と、前記表示部に対向する表面に表示情報が付される帯状の出力シートと、前記出力シートの長手方向端部が取り付けられるとともに、前記出力シートを巻回して巻取可能な巻取手段とを備え、前記出力シートが前記巻取手段に巻き取られて走行するときに、前記表示部に対向する表面がスクロールすることにより、前記表示部に表示される表示情報が切り替えられるスクロール看板であって、
前記巻取手段が、互いに平行な回転軸を有する複数の回転体を備え、前記出力シートを前記複数の回転体の周りに巻回して巻き取ることを特徴とするスクロール看板。
【請求項２】
前記巻取手段が前記出力シートを挟んで前記表示部の反対側に設けられ、前記出力シートの前記表示部に対向する箇所から前記巻取手段に巻回される箇所までの間に、前記出力シートの走行を案内する案内手段が設けられ、前記案内手段が、前記出力シートの前記表示部に対向する部分と前記巻取手段に巻回される部分との間に、間隙を形成することを特徴とする請求項１に記載のスクロール看板。
【請求項３】
前記出力シートの前記表示部に対向する部分を裏面側から照らす光源が、前記間隙に設けられていることを特徴とする請求項２に記載のスクロール看板。
【発明の詳細な説明】
【技術分野】
【０００１】
本発明は、広告・宣伝媒体又はその他の情報表示媒体として利用される看板であって、文字、図形、画像、記号等の表示情報が描かれた出力シートを上下方向又は左右方向にスクロールさせ、表示情報を切り替えながら表示するスクロール看板に関する。
【背景技術】
【０００２】
従来、スクロール看板として、図５に示すように、筐体１内の上下に一対の軸２，２が設けられるとともに、軸２，２を中心に回転可能なローラー３，３が設けられ、文字、図形、画像、記号等の表示情報が長手方向に沿って順次表面に描かれた帯状の出力シート４がローラー３，３の間に架け渡されたものが知られている。
【０００３】
各ローラー３は図示を略す駆動機構に接続され、この駆動機構に駆動されて軸２を中心に正逆いずれの方向にも回転する。出力シート４は、長手方向両端部がローラー３，３の周面に取り付けられてローラー３，３の少なくとも一方に巻回され、ローラー３，３の回転に伴いその一方から送り出されて他方に巻き取られることにより、ローラー３，３の間で上下方向に走行してスクロールする。筐体１の正面には、筐体１の外部から内部を視認可能とする透明の表示部５が形成されている。ローラー３，３の間に位置する出力シート４の裏面側には、蛍光灯等からなる光源６が配設されている。出力シート４の表示情報は、表示部５の大きさに合わせて一単位の表示画面を構成し、この表示画面が外光又は光源６の発光に照らされて表示部５を通して視認されるとともに、視認される表示画面は出力シート４のスクロールにより切り替えられる。
【０００４】
このような基本的構成を有するスクロール看板が記載された先行技術文献としては、例えば特許文献１，２がある。
【先行技術文献】
【特許文献】
【０００５】
【特許文献１】特開２００４−２１９７１３号公報
【特許文献２】特開２００８−２６８７１８号公報
【発明の概要】
【発明が解決しようとする課題】
【０００６】
出力シート４のスクロールに一対のローラー３，３を用いる上記従来の構成では、図６に示すように、出力シート４が巻回されるローラー３は１回転する度に出力シート４の厚さの約２倍分だけ直径Ｄが大きくなるため、出力シート４の巻取回数が増えると直径Ｄが急激に増大する。このため、筐体１を薄型化しようとすると、ローラー３自体の直径ｄを細くしなければならない。しかし、直径ｄを細くすると、出力シート４に符号７で示すような折り目のしわや巻き癖が付いたり、出力シート４が図７に示すように複数のシート８をジップ材９で連結してなる場合には、そのジップ材９が複雑に重なり合って変形したり破損したりするおそれがある。
【０００７】
また、上記従来の構成を有するスクロール看板の厚さは、ローラー３が出力シート４を巻き上げ終えたときの直径Ｄ（Ｄの最大値）により下限が規制されるため、出力シート４の長さや表示画面数を増やそうとすると、直径Ｄの最大値が増す分だけ筐体１を厚くせざるを得ない。したがって、上記従来の構成では、出力シート４の長さや表示画面数が定まっている場合には、それに応じた筐体１の厚さが必要となり、スクロール看板を薄型化することが困難であった。
【０００８】
本発明は、上記課題を解決するためになされたもので、表示情報が多量で長手方向の寸法が大きい出力シートを用いても薄型化することができるスクロール看板を提供することを目的とする。
【課題を解決するための手段】
【０００９】
上記課題を解決するため、請求項１に係る発明は、内部を視認可能とする表示部が形成された筐体と、前記表示部に対向する表面に表示情報が付される帯状の出力シートと、前記出力シートの長手方向端部が取り付けられるとともに、前記出力シートを巻回して巻取可能な巻取手段とを備え、前記出力シートが前記巻取手段に巻き取られて走行するときに、前記表示部に対向する表面がスクロールすることにより、前記表示部に表示される表示情報が切り替えられるスクロール看板であって、前記巻取手段が、互いに平行な回転軸を有する複数の回転体を備え、前記出力シートを前記複数の回転体の周りに巻回して巻き取ることを特徴とする。
【００１０】
請求項１に係る発明によれば、巻取手段が互いに平行な回転軸を有する複数の回転体を備え、出力シートを複数の回転体の周りに巻回して巻き取るので、出力シートの巻取りに伴う巻取手段の巻取部分（出力シートの巻回部分）の径乃至厚さの増大は、回転体の数、径、位置関係（離間距離）により決定される。よって、その径乃至厚さの増大を、回転体の数、径、位置関係を適宜調整することにより抑制可能で、表示情報が多量で長手方向の寸法が大きい出力シートを用いても薄型化することができる。
【００１１】
例えば巻取手段が直径ｄの二つの回転体を離間距離ｈで備え、厚さｔの出力シートの長さＬの部分をその二つの回転体の周りに巻回して巻き取るとすると、巻取部分の径乃至厚さの増大は約２Ｌｔ／（πｄ＋２ｈ）となる。これに対し、巻取側に一つのローラーを用いる従来の構成では、ローラーの直径を同じくｄとすると、巻取部分の径乃至厚さの増大は約２Ｌｔ／πｄとなるから、請求項１に係る発明の方が約４ｈＬｔ／πｄ（πｄ＋２ｈ）だけ巻取部分の径乃至厚さの増大が抑制され、その分薄型化が容易である。
【００１２】
請求項２に係る発明は、請求項１に記載のスクロール看板において、前記巻取手段が前記出力シートを挟んで前記表示部の反対側に設けられ、前記出力シートの前記表示部に対向する箇所から前記巻取手段に巻回される箇所までの間に、前記出力シートの走行を案内する案内手段が設けられ、前記案内手段が、前記出力シートの前記表示部に対向する部分と前記巻取手段に巻回される部分との間に、間隙を形成することを特徴とする。
【００１３】
請求項２に係る発明によれば、巻取手段が出力シートを挟んで表示部の反対側に設けられているので、筐体を正面から見たときに巻取手段が表示部の奥に位置することになり、筐体の正面において表示部の占める割合を大きくとることができる。
【００１４】
そして、出力シートの表示部に対向する箇所から巻取手段に巻回される箇所までの間に出力シートの走行を案内する案内手段が設けられ、この案内手段が、出力シートの表示部に対向する部分と巻取手段に巻回される部分との間に間隙を形成するので、巻取手段が表示部の奥に位置していても、出力シートの表示部に対向する部分と巻取手段に巻回される部分との干渉を防止することができる。
【００１５】
請求項３に係る発明は、請求項２に記載のスクロール看板において、前記出力シートの前記表示部に対向する部分を裏面側から照らす光源が、前記間隙に設けられていることを特徴とする。
【００１６】
請求項３に係る発明によれば、出力シートの表示部に対向する部分を裏面側から照らす光源が間隙に設けられているので、筐体の内部に光源の設置スペースを別途確保する必要がなく、その設置スペースの確保により筐体の厚さが拡大する事態を回避することができ、薄型化と光源の設置とを両立することができる。
【発明の効果】
【００１７】
本発明は、巻取手段が互いに平行な回転軸を有する複数の回転体を備え、出力シートを複数の回転体の周りに巻回して巻き取るので、出力シートの巻取りに伴う巻取手段の巻取部分の径乃至厚さの増大を、回転体の数、径、位置関係の調整により適宜抑制することが可能で、表示情報が多量で長手方向の寸法が大きい出力シートを用いても薄型化することができるという効果を奏する。
【図面の簡単な説明】
【００１８】
【図１】発明の実施の形態に係るスクロール看板を示す断面図である。
【図２】図１のスクロール看板の巻取装置を拡大して示す説明図である。
【図３】スクロール看板の他の例を示す断面図である。
【図４】図２の巻取装置に出力シートが巻き取られた状態を示す説明図である。
【図５】従来のスクロール看板を示す断面図である。
【図６】図５のスクロール看板で出力シートが巻き取られた状態を示す説明図である。
【図７】出力シートの構成を拡大して示す説明図である。
【発明を実施するための形態】
【００１９】
本発明の実施の形態を図面に基づいて説明する。
【００２０】
図１は、本実施の形態に係るスクロール看板を示す。このスクロール看板１０は、筐体１１と、出力シート１２と、巻取手段としての巻取装置１３と、案内手段としての案内ローラー１４と、光源としてのバックライト１５とを有する。
【００２１】
筐体１１は、正面（図１において左側の面）が縦長の長方形で、厚さ方向（奥行方向、同図において左右方向）の寸法が高さ方向（上下方向、同図において上下方向）及び幅方向（左右方向、同図において紙面垂直方向）の寸法よりも相対的に小さい直方体状を呈する。筐体１１の正面には、筐体１１の外部から内部を視認可能とするガラス製又は樹脂製の透明な表示部１６が形成されている。
【００２２】
出力シート１２は合成紙等からなり、帯状を呈する。出力シート１２の表面には、文字、図形、画像、記号等の表示情報が付されている。表示情報は出力シート１２の基材（図７のシート８が相当する。）に直接印刷等されていてもよく、あるいは、他のシートに印刷等された上で出力シート１２の基材に貼着等されていてもよい。
【００２３】
巻取装置１３は、筐体１１の内部で上下対称となるように一対設けられ、案内ローラー１４も同様に一対設けられている。各巻取装置１３は、回転体としての巻取ローラー１７，１８と、巻取ローラー１７，１８に架け渡されたコンベアベルト１９と、駆動モーター２０とを有する。案内ローラー１４及び巻取ローラー１７，１８は、いずれも直径ｄの円柱形を呈している。
【００２４】
図２に示すように、上側にある巻取装置１３においては、巻取ローラー１７の回転軸２１、巻取ローラー１８の回転軸２２及び駆動モーター２０のシャフト２３が、いずれも筐体１１の幅方向に延在し、かつ、同一鉛直面内でその順に上方から下方に並んで位置している。案内ローラー１４の回転軸２４は筐体１１の幅方向に延在し、巻取ローラー１７の回転軸２１より上方で、かつ、筐体１１の正面側に位置している。
【００２５】
駆動モーター２０のシャフト２３には、駆動プーリー２５が設けられている。巻取ローラー１８の端面には、巻取ローラー１８と一体で回転する大径の伝動プーリー２６及び小径の従動プーリー２７が積層して設けられている。巻取ローラー１７の端面には、巻取ローラー１７と一体で回転する大径の従動プーリー２８及び小径の伝動プーリー２９が積層して設けられている。案内ローラー１４の端面には、案内ローラー１４と一体で回転する従動プーリー３０が設けられている。伝動プーリー２６及び従動プーリー２８は同一径を有し、駆動プーリー２５、従動プーリー２７、伝動プーリー２９及び従動プーリー３０は同一径を有する。また、駆動プーリー２５及び従動プーリー２７にはドライブベルト３１が架け渡され、伝動プーリー２６及び従動プーリー２８にはドライブベルト３２が架け渡され、伝動プーリー２９及び従動プーリー３０にはドライブベルト３３が架け渡されている。
【００２６】
駆動モーター２０は、図示を略す制御装置により正逆いずれの方向にも回転可能であり、駆動モーター２０が回転すると、駆動プーリー２５の回転がドライブベルト３１により従動プーリー２７に伝わり、巻取ローラー１８が回転するとともに伝動プーリー２６が回転する。この伝動プーリー２６の回転がドライブベルト３２により従動プーリー２８に伝わり、巻取ローラー１７が回転するとともに伝動プーリー２９が回転する。そして、伝動プーリー２９の回転がドライブベルト３３により従動プーリー３０に伝わり、案内ローラー１４が回転する。すなわち、駆動モーター２０の駆動力により、巻取ローラー１８、巻取ローラー１７及び案内ローラー１４が同期して回転し、巻取りローラー１７，１８に架け渡されたコンベアベルト１９も同じ回転速度で回転する。
【００２７】
出力シート１２は、その長手方向中間部が案内ローラー１４，１４の間に架け渡されて表示部１６に対向するとともに、長手方向両端部が巻取装置１３，１３のコンベアベルト１９，１９に取り付けられている。例えば図１においては、出力シート１２の端部３４が、上側の巻取装置１３のコンベアベルト１９に取り付けられている。そして、出力シート１２は、巻取装置１３，１３の少なくともいずれかのコンベアベルト１９の周り（巻取ローラー１７，１８の周り）に巻回されて案内ローラー１４，１４の間に張られ、表面の表示情報が表示部１６を通して視認されるようになっている。
【００２８】
出力シート１２の表示部１６に対向する部分３５と巻取装置１３に巻回される部分３６との間には、案内ローラー１４により間隙３７が形成され、間隙３７にはバックライト１５が設けられている。バックライト１５は、出力シート１２の表示部１６に対向する部分３５を裏面側から照らして表示情報の視認性を高めるもので、導光板やＥＬシート等の薄型のものを用いることが好ましい。なお、出力シート自体を自発光式のＥＬシート等とすれば、バックライトは必須ではない。
【００２９】
このスクロール看板１０において、例えば図１に示すように出力シート１２が下側の巻取装置１３のコンベアベルト１９の周りに巻回されている状態で、巻取装置１３，１３の駆動モーター２０，２０を同図における時計回りに回転させると、出力シート１２は下側の巻取装置１３から送り出されて上側の巻取装置１３に巻き取られ、表示部１６に表示される表示情報が下方から上方にスクロールして切り替えられる。出力シート１２が上側の巻取装置１３のコンベアベルト１９の周りに巻回されている状態で、駆動モーター２０，２０を逆向きに回転させれば、表示部１６に表示される表示情報は上方から下方にスクロールして切り替えられる。
【００３０】
図３は、スクロール看板の他の実施の形態を示す。このスクロール看板３８は、スクロール看板１０が正面のみの片面に表示情報が表示されるものであるのに対し、正面及び背面の両面に表示情報が表示されるものである。以下では、スクロール看板３８に関し、スクロール看板１０の構成要素に対応する構成要素には同一の符号を付して説明を省略し、異なる構成要素について説明する。
【００３１】
スクロール看板３８では、上側の案内ローラー１４の端面には、案内ローラー１４と一体で回転する大径の伝動プーリー３９及び小径の従動プーリー３０が積層して設けられている。案内ローラー１４の背面側（図４において右側）には、巻取ローラー１７の回転軸２１、巻取ローラー１８の回転軸２２及び駆動モーター２０のシャフト２３が延在する鉛直面を挟んだ対称位置に、案内ローラー１４と同径の案内ローラー４０が設けられている。案内ローラー４０の端面には伝動プーリー３９と同径の従動プーリー４１が設けられ、伝動プーリー３９及び従動プーリー４１にはドライブベルト４２がたすき掛け状に架け渡されている。これにより、例えば図３で案内ローラー１４が時計回りに回転すると、案内ローラー４０は同一回転速度で反時計回りに回転する。
【００３２】
一方、筐体１１の内部下方には、巻取装置１３、案内ローラー１４及び案内ローラー４０が、上側の巻取装置１３、案内ローラー１４及び案内ローラー４０に対し、筐体１１の中心部４３を基準に点対称に設けられている。
【００３３】
このスクロール看板３８において、出力シート１２は、正面側の表示部１６に表示されるものと背面側の表示部１６に表示されるものとが一対設けられ、それらは巻取装置１３に巻回された状態では重なり合って二重になる。
【００３４】
この実施の形態に係るスクロール看板１０，３８では、巻取装置１３が互いに平行な回転軸２１，２２を有する二つの巻取ローラー１７，１８を備え、出力シート１２をその二つの巻取ローラー１７，１８の周りに巻回して巻き取るので、出力シート１２の巻取りに伴う巻取装置１３の巻取部分（出力シート１２の巻回部分）の径乃至厚さの増大は、巻取ローラー１７，１８の径と位置関係（離間距離）により決定される。よって、その径乃至厚さの増大を、巻取ローラー１７，１８の径、位置関係を適宜調整することにより抑制可能で、表示情報が多量で長手方向の寸法が大きい出力シートを用いても薄型化することができる。
【００３５】
ここでは、巻取装置１３の奥行方向の寸法を最小化して薄型化に供するため、巻取ローラー１７，１８、さらには、駆動モーター２０も同一鉛直面内に配置している。また、出力シート１２の巻取りに伴う巻取部分の径乃至厚さの増大を抑えるために、上側の巻取装置１３の駆動モーター２０と下側の巻取装置１３の駆動モーター２０とを設計上できる限り近接させ、巻取ローラー１７，１８の離間距離がなるべく確保されるようにしている。
【００３６】
これにより、コンベアベルト１９の外周が大きくなって出力シート１２の巻回部分（巻取ローラー１７，１８の周面に沿う円弧状の曲線部分と離間距離に亘る直線部分）が広範になるので、図４に示すように出力シート１２にジップ材４４が設けられていてもジップ材同士が重なり合う可能性が低く、曲線部分以外の部分では強い締付力やジップ材４４が平面状に戻ろうとする力を受け難くなり、折り目のしわや巻き癖を軽減してスクロールを安定させることができる。また、出力シート１２の巻回数を少なくすることができるので、巻回数が多い場合に必要な巻取ローラーの回転速度制御を簡素化又は不要化することができる。
【００３７】
さらに、ここでは、巻取装置１３を出力シート１２の巻取側のみならず送出側にも用いることにより、筐体１１の送出側についての奥行寸法の肥大化を阻止して薄型化を図っている。
【００３８】
巻取装置１３は、出力シート１２を挟んで表示部１６の反対側に設けられているので、筐体１１を正面から見たときに巻取装置１３が表示部１６の奥に位置することになり、筐体１１の正面において表示部１６の占める割合を大きくとることができる。そして、出力シート１２の表示部１６に対向する箇所から巻取装置１３に巻回される箇所までの間に、出力シート１２の走行を案内する案内ローラー１４が設けられ、この案内ローラー１４が、出力シート１２の表示部１６に対向する部分３５と巻取装置１３に巻回される部分３６との間に間隙３７を形成するので、巻取装置１３が表示部１６の奥に位置していても、出力シート１２の表示部１６に対向する部分３５と巻取装置１３に巻回される部分３６との干渉を防止することができる。
【００３９】
また、出力シート１２の表示部１６に対向する部分３５を裏面側から照らすバックライト１５が間隙３７に設けられているので、筐体１１の内部に光源の設置スペースを別途確保する必要がなく、その設置スペースの確保により筐体の厚さが拡大する事態を回避することができ、薄型化と光源の設置とを両立することができる。
【００４０】
なお、本発明は上述した形態に限られるものではなく、例えば巻取装置はスクロール看板１０におけるようなベルトコンベア式の巻取機構を採らなくてもよい。また、駆動モーター２０の動力が強くてシャフト２３が停止時には自由回転するのであれば、巻取側の駆動モーター２０だけを駆動し、送出側の駆動モーター２０を停止させ、巻取りを行ってもよい。出力シート１２は上下方向ではなく左右方向にスクロールさせてもよく、巻取装置１３においてドライブベルトを用いる代わりにギア等の動力伝達手段を用いてもよく、駆動モーターを巻取ローラーに直結して巻取ローラーを直接駆動するようにしてもかまわない。
【実施例】
【００４１】
図１に記載のようなスクロール看板（実施品）及び図５に記載のようなスクロール看板（比較品）のそれぞれについて、以下の寸法下における出力シートの理論上の巻取長さの最大値を算出した。
（実施品）
巻取長さをＬ、そのうち巻取ローラー１７，１８の周面に沿う曲線部分の長さをＬ１、巻取ローラー１７，１８の離間距離に亘る直線部分の長さをＬ２、巻取ローラー１７，１８の直径をｄ＝２５ｍｍ、巻取後の直径をＤ＝４４ｍｍ、巻取ローラー１７，１８の離間距離をｈ＝７５０ｍｍ、コンベアベルト１９の厚さをｓ＝１ｍｍ及び出力シート１２の厚さをｔ＝０．１３５ｍｍとすると、
Ｌ１＝π｛Ｄ２−（ｄ＋ｓ）２｝／４ｔ
＝３．１４１６×（４４２−２６２）／（４×０．１３５）
＝７，３３０．４ｍｍ
Ｌ２＝ｈ（Ｄ−ｄ）／ｔ
＝７５０（４４−２６）／０．１３５
＝１００，０００ｍｍ
Ｌ＝Ｌ１＋Ｌ２＝１０７，３３０．４ｍｍ≒１０７．３ｍ
となる。
（比較品）
巻取長さをＬ、ローラー３の直径をｄ＝２５ｍｍ、巻取後の直径をＤ＝４４ｍｍ及び出力シート４の厚さをｔ＝０．１３５ｍｍとすると、
Ｌ＝π｛Ｄ２−ｄ２｝／４ｔ
＝３．１４１６×（４４２−２５２）／（４×０．１３５）
＝７，６２７．１１ｍｍ≒７．６ｍ
となる。
【００４２】
したがって、筐体の内寸により出力シートの巻回部分の最大径が４４ｍｍと規制される場合、比較品では出力シートを７．６ｍしか巻き取ることができないが、実施品では出力シートを１０７．３ｍ巻き取ることができる。
【００４３】
また、出力シートを３０ｍ巻き取るときの巻取後の直径Ｄは、上記各式から逆算すると、実施品では
Ｄ＝｛−２ｈ＋（４ｈ２＋πｃ）１／２｝／π
＝３０．１６ｍｍ
ただし、ｃ＝π（ｄ＋ｓ）２＋４ｄｈ＋４Ｌｔ
Ｌ＝３０ｍ＝３０，０００ｍｍ
となるのに対し、比較品では
Ｄ＝｛（πｄ２＋４Ｌｔ）／π｝１／２
＝７６．０４ｍｍ
となり、実施品によれば、表示情報が多量で長手方向の寸法が大きい出力シートを用いても薄型化することができることが明らかである。
【産業上の利用可能性】
【００４４】
本発明は、表示情報をスクロール可能なスクロール看板として利用可能である。従来、この種の看板は、自立式で設置されることが多かったが、本発明によれば薄型化が可能で壁付式として設置することや大型の懸垂幕装置として利用することが可能となり、看板を歩行者の妨げにならないものとし、基礎工事のコストを削減することもできる。また、広告に好適な駅構内や歩道、商業施設等であって、法的な規制や自主規制により壁面からのはみ出し幅に制限のある場所でも、設置が認められる可能性が極めて高くなる。
【符号の説明】
【００４５】
１０，３８  スクロール看板
１１  筐体
１２  出力シート
１３  巻取装置（巻取手段）
１４  案内ローラー（案内手段）
１５  バックライト（光源）
１６  表示部
１７，１８  巻取ローラー（回転体）
２１，２２  回転軸
３７  間隙
【図１】
2010204202.tif 000003
【図２】
2010204202.tif 000004
【図３】
2010204202.tif 000005
【図４】
2010204202.tif 000006
【図５】
2010204202.tif 000007
【図６】
2010204202.tif 000008
【図７】
2010204202.tif 000009